(57)【要約】【課題】足裏の全体を「面」により効率的に加温できるとともに、特に、足裏の土踏まずにあるツボを「点」により適度に刺激することが可能な温熱器具を提供する。【解決手段】温熱器具１０は、足裏の全体が両足を揃えた状態で載置される足載せ部１１０と、足載せ部１１０のセンタ付近に、足裏の前後の向きと直交する方向に沿って設けられた凸状部１２０と、凸状部１２０および足載せ部１１０を温めるヒータ１３０と、を備え、足載せ部１１０上に載せられた足裏の全体をヒータ１３０によって効率的に加温できるとともに、足裏の土踏まずにあるツボに対しては、凸状部１２０による適当な刺激と、その内部に設けられたヒータ１３０による快適な温度と、が同時に与えられるように構成されている。【選択図】図１
2020062259.tif 000002
【特許請求の範囲】
【請求項１】
足裏の全体が両足を揃えた状態で載置される足載せ部と、
前記足載せ部のセンタ付近に、前記足裏の前後の向きと直交する方向に沿って設けられた凸状部と、
前記凸状部および前記足載せ部の内部に設けられたヒータと、
を備えることを特徴とする温熱器具。
【請求項２】
前記足載せ部は、前記足裏のつま先側に対応する第１足載せ部と前記足裏の踵側に対応する第２足載せ部とに分割され、前記第１足載せ部および前記第２足載せ部の、対向する一端側がそれぞれ前記凸状部によって支持されていることを特徴とする請求項１に記載の温熱器具。
【請求項３】
前記第１足載せ部および前記第２足載せ部は、いずれも平面形状を有するとともに、前記凸状部と直交する、前記足裏の前後の向きに沿って、それぞれ円弧状に湾曲していることを特徴とする請求項２に記載の温熱器具。
【請求項４】
前記第１足載せ部および前記第２足載せ部は、いずれも平面形状を有するとともに、前記凸状部と直交する、前記足裏の前後の向きに沿って、それぞれ平坦状に形成されていることを特徴とする請求項２に記載の温熱器具。
【請求項５】
前記第１足載せ部および前記第２足載せ部は、いずれも平面形状を有するとともに、前記凸状部と直交する、前記足裏の前後の向きに沿って、それぞれ波型状に湾曲していることを特徴とする請求項２に記載の温熱器具。
【請求項６】
前記足載せ部および前記凸状部の、前記足裏の前後の向きに沿う両サイドの端部をそれぞれ一体的に保持する保持部をさらに備えることを特徴とする請求項１ないし５のいずれか１項に記載の温熱器具。
【請求項７】
前記足載せ部および前記凸状部はそれぞれ中空構造を有し、前記中空構造のそれぞれの部分に前記ヒータが配設されていることを特徴とする請求項１ないし６のいずれか１項に記載の温熱器具。
【請求項８】
前記足載せ部は、前記中空構造の部分が壁部によって複数の部分に仕切られ、前記複数の部分にそれぞれ前記ヒータが収納されていることを特徴とする請求項７に記載の温熱器具。
【発明の詳細な説明】
【技術分野】
【０００１】
本発明は、足もとから身体を温めることができる温熱器具に関する。
【背景技術】
【０００２】
従来、ツボと呼ばれる人体の特定部位（経穴ともいう）を指圧やマッサージによって適度に刺激することにより、例えば、健康増進、美容効果の向上、疲労回復などを図ることができると認識されている。
【０００３】
特に、人間の足裏には多くのツボが集中しており、足裏のツボを刺激することが、諸症状の緩和や改善などに有効であることが知られている。
【０００４】
そんな中、より効果的な施療を可能にするものとして、足裏のツボを刺激すると同時に身体を温めることができる、例えば特許文献１に記載の足温器や特許文献２に記載の温熱健康器具が提案されている。
【先行技術文献】
【特許文献】
【０００５】
【特許文献１】特開平８−１０７９１８号公報
【特許文献２】実用新案登録第３１５５３９９号公報
【発明の概要】
【発明が解決しようとする課題】
【０００６】
しかしながら、特許文献１に記載の足温器は、温水を使うことによる温熱性の刺激とツボに対する加圧性の刺激との相乗効果によって、より良好で、効果的な施療を可能とするものであった。そのため、施療には温水が必要であり、簡単には施療を行うことができない。
【０００７】
特許文献２に記載の温熱健康器具は、温水を用いることなく、簡単に施療できるものの、足裏の、特に、土踏まずの部位にのみ温熱性の刺激と加圧性の刺激とを与えるものであった。そのため、足裏の全体を効率的に加温することができない。
【０００８】
このように、従来の器具は、温水が必要であったり、足裏の全体を効率的に加温できないといった課題があった。
【０００９】
本発明は、上記課題に鑑みてなされたもので、その目的とするところは、足裏の全体を「面」により効率的に加温できるとともに、特に、足裏の土踏まずにあるツボを「点」により適度に刺激することが可能な温熱器具を提供することにある。
【課題を解決するための手段】
【００１０】
上記目的を達成するために、本発明の温熱器具は、足裏の全体が載置される足載せ部と、前記足載せ部のセンタ付近に、前記足裏の前後の向きと直交する方向に沿って設けられた凸状部と、前記凸状部および前記足載せ部の内部に設けられたヒータと、を備える。
【００１１】
本発明の温熱器具にあっては、足裏の全体が両足を揃えた状態で載置される足載せ部と、足載せ部のセンタ付近に、足裏の前後の向きと直交する方向に沿って設けられた凸状部とが、内部に配設されたヒータによって各々加温される。このため、温水などを用いずとも、足載せ部上に両方の足裏を載置するだけで、足載せ部によって「面」で両方の足裏の全体をほぼ均等に加温できる。
【００１２】
しかも、両方の足裏の、特に、土踏まずの部位のツボに対しては、凸状部によって「点」で加温しながら、加圧による刺激をも同時に与えることができる。
【発明の効果】
【００１３】
本発明によれば、足裏の全体を「面」により効率的に加温できるとともに、特に、足裏の土踏まずにあるツボを「点」により適度に刺激することが可能な温熱器具を提供できる。
【図面の簡単な説明】
【００１４】
【図１】本発明の第１の実施形態に係る温熱器具の全体構造を示すもので、図１（ａ）は、温熱器具の外観を一正面側から示す斜視図であり、図１（ｂ）は、温熱器具の外観を一側面側から示す斜視図である。
【図２】図１に示す温熱器具の本体部分の構成を示すもので、図２（ａ）は、温熱器具の平面図であり、図２（ｂ）は、温熱器具の一正面図であり、図２（ｃ）は、温熱器具の一側面図である。
【図３】図２（ａ）のIII‐III線に沿う断面図である。
【図４】図３の凸状部を拡大して示す断面図である。
【図５】温熱器具の回路図である。
【図６】温熱器具の温度試験結果を例示する特性図である。
【図７】本発明の第２の実施形態に係る温熱器具の全体構造を示すもので、図７（ａ）は、温熱器具の外観を一正面側から示す斜視図であり、図７（ｂ）は、温熱器具の外観を一側面側から示す斜視図であり、図７（ｃ）は、温熱器具の一側面図である。
【図８】本発明の第３の実施形態に係る温熱器具の全体構造を示すもので、図８（ａ）は、温熱器具の外観を一正面側から示す斜視図であり、図８（ｂ）は、温熱器具の外観を一側面側から示す斜視図であり、図８（ｃ）は、温熱器具の一側面図である。
【図９】本発明の第４の実施形態に係る温熱器具の全体構造を示すもので、図９（ａ）は、温熱器具の外観を一正面側から示す斜視図であり、図９（ｂ）は、温熱器具の外観を一側面側から示す斜視図であり、図９（ｃ）は、温熱器具の一側面図である。
【発明を実施するための形態】
【００１５】
以下、本発明の実施形態について図面を参照しながら説明する。
【００１６】
［第１の実施形態］
図１（ａ）および図１（ｂ）は、いずれも、本発明の第１の実施形態に係る温熱器具１０の全体構造を示す外観斜視図であって、図１（ａ）は、温熱器具１０を一正面（図示矢印Ｆｒ方向）側から示す斜視図であり、図１（ｂ）は、温熱器具１０を一側面（図示矢印Ｌ方向）側から示す斜視図である。
【００１７】
この温熱器具１０は、主に、使用者（図示省略）がソファーなどに腰かけた状態において、例えば足裏の全体を、両足を揃えて載せることにより使用される足温器である。温熱器具１０は、載せられた両方の足裏の全体に対して「面」で加温するとともに、特に、足裏の土踏まずの部位に対しては「点」で加温しながら、加圧による刺激をも同時に与えることができるようになっている。
【００１８】
即ち、温熱器具１０は、図１（ａ）および図１（ｂ）に示すように、両足を揃えた状態で足裏の全体を載置できる足載せ部１１０と、足載せ部１１０のセンタ付近に、載せられる足裏の前後の向きと直交する水平方向Ｌ／Ｒに沿って設けられた凸状部１２０と、凸状部１２０および足載せ部１１０が所定の設定温度（例えば、４２℃程度）となるように温めるヒータ１３０（図３参照）と、を備えている。
【００１９】
ヒータ１３０は、電源コード１４０に接続されている。電源コード１４０は、ヒータ１３０への通電を制御して、温熱器具１０をオン／オフさせる電源スイッチ１４２と、商用電源のコンセント（図示省略）に接続される電源プラグ１４４と、を有している。電源コード１４０は、例えば、温熱器具１０の一側面側に対向する、他側面（図示矢印Ｒ方向）側より引き出されている。
【００２０】
そして、温熱器具１０の一側面側には、電源スイッチ１４２の操作に応じて、温熱器具１０が施療（オン）中か否（オフ）かを点灯により表示する点灯ランプ（例えば、発光ダイオード（Light Emitting Diode））１５０を備えている。
【００２１】
ここで、図１（ａ）に示した温熱器具１０において、使用者の足裏は、通常、踵側が手前（一正面）Ｆｒ側、つま先側が奥（他正面）Ｆａ側となるように、温熱器具１０上に載せられる。即ち、使用者の足裏は、土踏まずの部位が凸状部１２０の位置に対応するように、つま先側を「前」とし、踵側を「後」として、温熱器具１０の本体部分の上面部に載せられる。
【００２２】
温熱器具１０に対しては、裸足の状態で足裏を直に載せることも可能であるし、衛生上の観点から、タオルなどを敷いたり、靴下を穿いた状態で載せるようにしても良い。
【００２３】
なお、使用者の足裏は、本体部分に対して逆向き、例えば、つま先側が足載せ部１１０の手前Ｆｒ側、踵側が足載せ部１１０の奥Ｆａ側となるように、温熱器具１０上に載せることも可能である。逆向きに載せる場合には、電源コード１４０と点灯ランプ１５０との位置が入れ替わるだけで、通常時の場合と同様の効果が得られる。
【００２４】
第１の実施形態に係る温熱器具１０によれば、足裏の、特に土踏まずの部位に集中する多数のツボ（足ツボ）に適度な刺激を加えつつ、所定の設定温度によって足裏の全体を効率的に加温できる。よって、その温熱効果（加温による刺激）により、足もとから使用者の身体を温めながら、ツボ理論（ツボ療法）に基づいた足ツボのツボ押しによるマッサージ効果（加圧によるツボ刺激）により、使用者の健康を増進などさせることが容易に可能となる。
【００２５】
特に、温水などを用いることなく、踵からつま先まで、足裏の全体をほぼ均等に加温できるので、足先などが冷えやすいタイプの使用者にとっては好適である。
【００２６】
次に、第１の実施形態に係る温熱器具１０の構造について、具体的に説明する。
【００２７】
図２（ａ）は温熱器具１０の本体部分の平面（上面）図であり、図２（ｂ）は本体部分を図２（ａ）の図示矢印Ｆｒ方向から見た一正面図であり、図２（ｃ）は、本体部分を図２（ａ）の図示矢印Ｌ方向から見た一側面図であり、図３は図２（ａ）のIII −III 線に沿う断面図である。
【００２８】
なお、ここでは、温熱器具１０より電源コード１４０を除いた筐体の部分を本体部分として説明する。
【００２９】
図２（ａ）、図２（ｂ）、図２（ｃ）および図３に示すように、温熱器具１０の本体部分は、例えば、足載せ部１１０と凸状部１２０とヒータ１３０とサイドカバー（保持部）１１２、１１４とを備えて構成されている。
【００３０】
第１の実施形態において、足載せ部１１０は、凸状部１２０を中心にして、足裏のつま先側に対応する奥Ｆａ側の第１足載せ部１１０Ｆａと、足裏の踵側に対応する手前Ｆｒ側の第２足載せ部１１０Ｆｒと、からなる分割構造とさている。第１足載せ部１１０Ｆａおよび第２足載せ部１１０Ｆｒは、例えば、対向する一端側がそれぞれ凸状部１２０を形成する、断面がほぼ円形状とされた円柱体１２２の側面（周面）によって支持されている（図４参照）。
【００３１】
また、足載せ部１１０は、図２（ｃ）に示すように、第１足載せ部１１０Ｆａおよび第２足載せ部１１０Ｆｒが、それぞれ、凸状部１２０と直交する、足裏の前後の向きの形状とほぼ合致するように、所定の曲率（例えば、曲率Ｒ７０〜Ｒ∞）により円弧状に湾曲されている。
【００３２】
そして、本体部分の水平方向Ｌ／Ｒにおける両サイドには、それぞれ、第１足載せ部１１０Ｆａおよび第２足載せ部１１０Ｆｒと凸状部１２０を形成する円柱体１２２とを、各端部を共通に嵌め込むようにして一体的に保持するサイドカバー１１２、１１４が設けられている。サイドカバー１１２、１１４は、本体部分を両側から全体的に保持して固定するために、第１足載せ部１１０Ｆａおよび第２足載せ部１１０Ｆｒの、凸状部１２０と直交する方向の断面とほぼ同様の湾曲形状を有している。
【００３３】
一方のサイドカバー１１２には、例えば、その側面部の凸状部１２０に対応する位置に点灯ランプ１５０が設けられている。他方のサイドカバー１１４の、例えば、その側面部の凸状部１２０に対応する位置からは電源コード１４０が引き出されている。
【００３４】
温熱器具１０は、両足を揃えた状態で足裏の全体を載置させることが可能なように、本体部分の横（水平方向Ｌ／Ｒ）および縦（前後方向）のサイズが所定の大きさを有して形成されている。
【００３５】
ここで、温熱器具１０は、例えば、第１足載せ部１１０Ｆａおよび第２足載せ部１１０Ｆｒの対向する一端側が、それぞれ、凸状部１２０に対応するサイドカバー１１２、１１４の下面部に設けられた台座部１６１を介して、床表面１７０上に設置される。また、第１足載せ部１１０Ｆａおよび第２足載せ部１１０Ｆｒの他端側が、それぞれ、サイドカバー１１２、１１４の下面部に設けられた台座部１６３を介して、床表面１７０上に設置される。
【００３６】
即ち、温熱器具１０は、例えば床表面１７０から下面部までの間に、高さが５ｍｍ程度の隙間（空間）を有する底上げの仕様とされている。これにより、温熱器具１０は、センタ側の２点の台座部１６１とサイド側の４点の台座部１６３とを含む、少なくとも６点によって、ほぼ平行な状態で床表面１７０上に設置されるとともに、床表面１７０を傷つけたりすることなしに安定に設置できる。
【００３７】
しかも、温熱器具１０は、下面部が床表面１７０と直に接触することがない底上げ仕様の構造のため、ヒータ１３０からの温熱が床表面１７０によって奪われることにより温熱効果が低下するのを抑制でき、低消費電力化が可能とされている。
【００３８】
なお、台座部１６１、１６３の形成には、例えばクション性を有する部材や樹脂成型体などを用いることができる。
【００３９】
また、施療時において、少なくとも台座部１６１は床表面１７０と接触する必要はなく、重荷重が加えられた時点で床表面１７０と接触するようにしても良い。即ち、使用者がソファーなどに腰かけた状態で足裏を載せた場合（いわゆる低荷重時）には、少なくともサイド側の４点の台座部１６３によって該荷重を分散させ、使用者が立ち上がるなどして重荷重が加えられた際に６点の台座部１６１、１６３によって該荷重を分散させて、耐荷重性能を向上させるようにすることも可能である。
【００４０】
第１の実施形態においては、例えば図３に示したように、第１足載せ部１１０Ｆａおよび第２足載せ部１１０Ｆｒ上に突出する、円柱体１２２の周面の一部を凸状部１２０として利用するようにしている。
【００４１】
凸状部１２０は、例えば、円柱体１２２の直径（φ）を約２５ｍｍとし、第１足載せ部１１０Ｆａおよび第２足載せ部１１０Ｆｒの取り付け位置に応じて、突出する部分の高さが、足裏の土踏まずの部位にあるツボを適度に刺激できる程度の所定の高さ（７．５ｍｍ程度）となるように調整されている。
【００４２】
このような凸状部１２０を形成する円柱体１２２は、例えば、アルミニウム（Ａｌ）などの金属を用いて形成される。また、円柱体１２２は、図４に拡大して示すように、ヒータ１３０を配設するための空間部１２４を備えた中空構造を有している。空間部１２４の下方部には、円柱体１２２の上下方向を指示するための切欠き部１２５が形成されている。
【００４３】
円柱体１２２は、例えば、図示断面方向のほぼ左右対称の位置に、その長手方向（水平方向Ｌ／Ｒ）に沿って、それぞれ、第１足載せ部１１０Ｆａおよび第２足載せ部１１０Ｆｒがスライドされることによって嵌め込まれる嵌合部１２２Ｆａ、１２２Ｆｒを備える。嵌合部１２２Ｆａ、１２２Ｆｒの上下の部分には、それぞれ、後述する第１足載せ部１１０Ｆａおよび第２足載せ部１１０Ｆｒの一端側に設けられた凹部１１６が係止される凸部１２６が形成されている。これにより、第１足載せ部１１０Ｆａおよび第２足載せ部１１０Ｆｒの、凸状部１２０に対する強固な接合が実現されるとともに、凸状部１２０と直交する方向への脱着が防止される。
【００４４】
このように、円柱体１２２の周面に第１足載せ部１１０Ｆａおよび第２足載せ部１１０Ｆｒの一端側が取り付けられることによって、足載せ部１１０のセンタ付近の、第１足載せ部１１０Ｆａおよび第２足載せ部１１０Ｆｒよりも高い位置に、断面がほぼ半円弧状の凸状部１２０が設けられるようになっている。
【００４５】
第１足載せ部１１０Ｆａおよび第２足載せ部１１０Ｆｒは、それぞれ、中空の部分（中空構造）を形成するようにして他端側（非センタ側）が折り返されている。そして、第１足載せ部１１０Ｆａおよび第２足載せ部１１０Ｆｒの一端側（センタ側）には、凸状部１２０に沿う方向の上下の位置に、それぞれ、凸部１２６が係止される凹部１１６が設けられている。
【００４６】
また、第１足載せ部１１０Ｆａおよび第２足載せ部１１０Ｆｒは、例えば図３に示すように、中空の部分がリブ（壁部）１１７によって仕切られた、複数（例えば、４個）の空間部１１８を有している。
【００４７】
例えば、第１足載せ部１１０Ｆａ、第２足載せ部１１０Ｆｒ、および、リブ１１７の形成には、それぞれ、約１．５ｍｍ厚のＡｌなどの金属が用いられる。なお、第１足載せ部１１０Ｆａおよび第２足載せ部１１０Ｆｒは、平面な形状となるように、ほぼ均一な厚さ（例えば、９．５ｍｍ程度）を有して形成されている。
【００４８】
そして、リブ１１７によって仕切られた第１足載せ部１１０Ｆａおよび第２足載せ部１１０Ｆｒの空間部１１８と円柱体１２２の空間部１２４とは、サイドカバー１１２、１１４の内側を介して互いに連結されて、それぞれ、上記したヒータ１３０の配設が可能とされている。
【００４９】
ヒータ１３０は、例えば１本のヒータ線が折り曲げられた状態で全９個の空間部１１８、１２４内に収納されるので、本体部分を全体的に温めることができ、足裏の全体を、温度分布のばらつきなどなしに、ほぼ均等に加温できる（熱の均等配分）。
【００５０】
なお、空間部１１８、１２４の数は９個に限らず、例えば３個以上であれば良い。
【００５１】
リブ１１７によって複数の空間部１１８に仕切られていることにより、途中でヒータ同士が接触する事故を避けることができる。また、複数のリブ１１７を設けることは、本体部分の強度を増大させるのに有効であり、１５０ｋｇ以上の静荷重にも十分に耐えられるものとされている。
【００５２】
図５は、上述した温熱器具１０の制御回路である。
【００５３】
図５において、電源スイッチ１４２を介して電源プラグ１４４に接続された電源コード１４０は、一方のサイドカバー１１４の中に引き込まれて、２本の別々の電源線に分離される。一方の電源線は、電流ヒューズ１４５を介してヒータ１３０の一端に接続されるとともに、他方のサイドカバー１１２の中に設けられた抵抗器１４６の一端に接続されている。
【００５４】
なお、折り曲げられた状態で各空間部１１８、１２４内に収納されるヒータ１３０は、例えばシリコンゴムコードヒータ（シリコンヒータ線）やニクロム線ヒータ、炭素繊維線ヒータなどを用いて構成されるもので、ここでの詳しい説明は省略する。
【００５５】
また、他方の電源線は、直列に接続された温度ヒューズ１４７およびサーモスタット１４８を介してヒータ１３０の他端に接続されるとともに、他方のサイドカバー１１２の中に設けられたダイオード１４９の一端であるアノードに接続されている。そして、このダイオード１４９の他端であるカソードと抵抗器１４６の他端との間に、上記した点灯ランプ１５０を構成する発光ダイオードが接続されている。
【００５６】
本回路では、温度ヒューズ１４７およびサーモスタット１４８がヒータ１３０に近接して配設されており、ヒータ１３０の温度が第１の設定温度を超えると、サーモスタット１４８が作動して、ヒータ１３０の温度を第１の設定温度以下の最適な温度に抑えるように温度制御する。この温度制御にもかかわらず、例えばヒータ１３０の温度が第１の設定温度を超えて第２の設定温度以上になると、温度ヒューズ１４７が溶断されて、ヒータ１３０への電源の供給を遮断するようになっている。
【００５７】
ここで、第１の設定温度とは、温熱器具１０上に載せている足裏が快適と感じて温熱効果を得ることができる最適な温度であり、第２の設定温度とは、温熱器具１０上に足裏を載せたままの状態でいると、火傷してしまう恐れのある温度である。
【００５８】
ヒータ１３０として、例えばシリコンゴムコードヒータを用いることにより、その柔軟性、電気絶縁性、耐熱性などのために、各空間部１１８、１２４内への収納も容易に可能であり、高い安全性を確保することができる。
【００５９】
なお、ヒータ１３０としては、１本のヒータ線によって構成する場合に限らず、例えば、各空間部１１８、１２４のそれぞれに複数本のヒータ線が個別に収納される構成としても良いし、各空間部１１８、１２４内にそれぞれ折り曲げられた状態で収納するようにしても良い。
【００６０】
上述したように、第１の実施形態に係る温熱器具１０によれば、使用者の両方の足裏を揃えた状態で、足裏の全体を載せることができる。即ち、ヒータ１３０からの温熱が、足載せ部１１０および凸状部１２０を介して、使用者の足裏の全体へと伝わるようにしているため、足裏の全体に対して効率的に温熱効果を加えることができる。これにより、温水などを用いることなく、足もとから使用者の身体を温めることができると同時に、足裏の、特に、土踏まずの部位に対して、加温とともに、凸状部１２０による加圧的な刺激（ツボ刺激）を簡単に与えることが可能となる。したがって、使用者の健康を増進させるなどの場合において、より効果的な施療が容易に行えるようになる。
【００６１】
しかも、足載せ部１１０および凸状部１２０が直に床表面１７０と接触しないように、床表面１７０との間に所定の空間（例えば、５ｍｍ程度の底上げ）が形成されるようにしている。これにより、ヒータ１３０からの温熱が床表面１７０によって奪われたりすることなく、温熱を足裏の全体に効率的に伝えることが可能となる。そのため、使用（施療）時の消費電力を低く抑えることができる。
【００６２】
図６は、温熱器具１０の温度試験の結果を、床表面に直置き仕様の温熱器具（図示省略）と対比して示すものである。
【００６３】
ここでは、温熱器具１０の仕様として、例えば、床表面１７０との間に最大で５ｍｍ程度の空間が形成される構造のものを用い、本体部分の表面温度が４２℃程度となるように温度制御するようにした場合を例に説明する。
【００６４】
図６からも明らかなように、本仕様の温熱器具１０の方が、直置き仕様の温熱器具に比べて、表面温度が全体的に約５℃も高い値を示した。この結果から、表面温度を高くできる分だけ、直置き仕様の温熱器具よりも消費電力を低く抑えることが可能となる。
【００６５】
また、足裏の全体を載せる足載せ部１１０が、足裏の形状に沿って湾曲した形状を有している。そのため、足裏に対するフィット感を向上させることが可能となる結果、足裏の全体に対して効率的に温熱効果を加えることができるだけでなく、同じ表面温度であっても、体感温度として、より高い温度に感じることが可能となる。
【００６６】
また、第１の実施形態に係る温熱器具１０によれば、掃除しやすく、汚れたり、ごみが付着しても、簡単に除去できるなど、綺麗にすることが容易であり、衛生的である。
【００６７】
また、足載せ部１１０および凸状部１２０を、鉄（Ｆｅ）の３倍以上の熱伝導率を有するＡｌを用いて形成するとともに、中空構造とし、足載せ部１１０の中空の部分に複数のリブ１１７を配置するようにしたので、軽量化とともに、適度な強度（例えば、１５０ｋｇ以上の耐荷重）の確保が可能となる。
【００６８】
しかも、温熱器具１０を、少なくとも６点により床表面１７０上に設置するようにしたことによって、足載せ部１１０に加わる荷重を分散でき、耐荷重性能の向上が可能である。
【００６９】
即ち、ソファーなどに腰かけた状態に限らず、例えば、その場で立ち上がり、温熱器具１０上に乗った状態での使用にも十分に耐えることができ、足踏みによるフィットネス効果が期待できる。
【００７０】
なお、円柱体１２２に対する第１足載せ部１１０Ｆａおよび第２足載せ部１１０Ｆｒの取り付けの角度（足裏と接触する角度）を、サイドカバー１１２、１１４の形状に応じて可変できるように構成することも可能である。
【００７１】
次に、本発明の他の実施形態について説明する。
【００７２】
ただし、他の実施形態において、上述した第１の実施形態に係る温熱器具１０と同一の箇所には同一の符号を付し、説明を省略するとともに、類似の箇所には類似の符号を付し、簡単に説明する。
【００７３】
［第２の実施形態］
図７は、本発明の第２の実施形態に係る温熱器具２１０の全体構造を示すもので、図７（ａ）は、温熱器具２１０を一正面（図示矢印Ｆｒ方向）側から示す外観斜視図、図７（ｂ）は、温熱器具２１０を一側面（図示矢印Ｌ方向）側から示す外観斜視図、図７（ｃ）は、温熱器具２１０の一側面（Ｌ）側を示す側面図である。
【００７４】
第２の実施形態に係る温熱器具２１０は、足載せ部の構成が異なる以外は、第１の実施形態で示した温熱器具１０の場合とほぼ同様の構造とされている。
【００７５】
即ち、温熱器具２１０としては、例えば足載せ部２１１０を、断面がほぼ半円弧状の凸状部１２０に対して、ともに平坦な平面形状となるようにそれぞれ形成された第１足載せ部２１１０Ｆａおよび第２足載せ部２１１０Ｆｒを有して構成するようにしても良い。
【００７６】
このような構成とされた第２の実施形態に係る温熱器具２１０の場合にも、第１の実施形態で示した温熱器具１０の場合とほぼ同様の効果が得られる。
【００７７】
［第３の実施形態］
図８は、本発明の第３の実施形態に係る温熱器具３１０の全体構造を示すもので、図８（ａ）は、温熱器具３１０を一正面（図示矢印Ｆｒ方向）側から示す外観斜視図、図８（ｂ）は、温熱器具３１０を一側面（図示矢印Ｌ方向）側から示す外観斜視図、図８（ｃ）は、温熱器具３１０の一側面（Ｌ）側を示す側面図である。
【００７８】
第３の実施形態に係る温熱器具３１０は、足載せ部の構成が異なる以外は、第１の実施形態で示した温熱器具１０の場合とほぼ同様の構造とされている。
【００７９】
即ち、温熱器具３１０としては、例えば足載せ部３１１０を、断面がほぼ半円弧状の凸状部１２０と直交する方向が所定の曲率で湾曲されるとともに、凸状部１２０に沿って複数の溝部３１１０Ｒが上面に形成された第１足載せ部３１１０Ｆａおよび第２足載せ部３１１０Ｆｒを有して構成するようにしても良い。
【００８０】
このような構成とされた第３の実施形態に係る温熱器具３１０の場合にも、第１の実施形態で示した温熱器具１０の場合とほぼ同様の効果が得られる。
【００８１】
また、溝部３１１０Ｒを形成したことによって、足裏が前後の方向へ滑るのをより抑制できるようになる。
【００８２】
［第４の実施形態］
図９は、本発明の第４の実施形態に係る温熱器具４１０の全体構造を示すもので、図９（ａ）は、温熱器具４１０を一正面（図示矢印Ｆｒ方向）側から示す外観斜視図、図９（ｂ）は、温熱器具４１０を一側面（図示矢印Ｌ方向）側から示す外観斜視図、図９（ｃ）は、温熱器具４１０の一側面（Ｌ）側を示す側面図である。
【００８３】
第４の実施形態に係る温熱器具４１０は、足載せ部の構成が異なる以外は、第１の実施形態で示した温熱器具１０の場合とほぼ同様の構造とされている。
【００８４】
即ち、温熱器具４１０としては、例えば足載せ部４１１０を、断面がほぼ半円弧状の凸状部１２０と直交する方向がほぼ波型状に湾曲するように形成された第１足載せ部４１１０Ｆａおよび第２足載せ部４１１０Ｆｒを有して構成するようにしても良い。
【００８５】
このような構成とされた第４の実施形態に係る温熱器具４１０の場合にも、第１の実施形態で示した温熱器具１０の場合とほぼ同様の効果が得られる。
【００８６】
［その他の実施形態］
上述した第１〜第４の実施形態に係る温熱器具１０、２１０、３１０、４１０においては、いずれも断面がほぼ半円弧状の凸状部１２０を設けるようにした場合について説明したが、これに限らず、例えば楕円状、三角状、四角状などの断面を有する凸状部を設けるようにしても良い。
【００８７】
また、凸状部１２０としては１つに限定されることなく、複数の凸状部を備える構成としても良い。
【００８８】
また、温熱器具１０、２１０、３１０、４１０は、いずれの構造とする場合においても、本体部分を複数の部品の組み合わせにより構成する場合に限らず、例えば、Ａｌを引き抜き成形などして一体的に形成することも可能である。
【００８９】
また、温熱器具１０、２１０、３１０、４１０は、いずれもＡｌにより形成される場合に限らず、例えば１５０ｋｇもの静荷重を得ることはできないものの、Ｆｅ、銅（Ａｕ）、または、ステンレス（ＳＵＳ）などの金属、または、繊維強化プラスチック（ＦＲＰ）やＡＢＳ樹脂（Acrylonitrile Butadiene Styrene共重合合成樹脂）などを用いて形成することも可能である。
【００９０】
また、上述した第１〜第４の実施形態に係る温熱器具１０、２１０、３１０、４１０は、いずれも冬場に使用する場合に限らず、夏場などにも使用できる。即ち、温熱器具１０、２１０、３１０、４１０は、足裏の土踏まずの部位にあるツボに対する加圧的な刺激（マッサージ効果）を得るだけの場合にも使用可能である。いずれの場合も、温熱器具１０、２１０、３１０、４１０は、足裏を載せる本体部分が金属によって形成されるため、マッサージ効果とともに、金属の冷たさが足裏の全体に対してひんやりした冷却感を与えることが可能となる。
【００９１】
逆に、温熱器具１０、２１０、３１０、４１０は、それぞれ、使用者が凸状部１２０に沿うようにして足裏を載せることにより、マッサージ効果を得ることなしに、単に足裏の全体を加温させるような、温熱効果だけを得ようとする場合にも使用できる。
【００９２】
また、温熱効果だけを得ようとする場合においては、温熱器具１０、２１０、３１０、４１０を、足裏を載せた状態で使用する場合に限らず、例えば、腰かけた状態の使用者のひざ上の太ももの部位などに置いた状態で使用することも可能である。若しくは、足のふくらはぎや首、腰など、任意の部位を加温させて温熱効果を得る場合にも使用できる。
【００９３】
なお、上述した第１〜第４の実施形態に係る温熱器具１０、２１０、３１０、４１０は、いずれも、ソファーやベッドに腰掛けた際の床表面、トイレ内、食卓テーブルや勉強机の下の床表面などに設置して使用する場合に好適である。
【００９４】
特に、食卓テーブルの下などに設置して使用する場合の温熱器具としては、例えば、個人で使用するサイズによらず、複数人での使用が同時に可能なサイズを有して形成することも可能である。
【００９５】
以上、本発明の温熱器具によれば、足裏の全体を「面」により効率的に加温できるとともに、特に、足裏の土踏まずにあるツボを「点」により適度に刺激することが可能となる。
【００９６】
なお、実施形態を用いて本発明を詳細に説明したが、本発明は本明細書中に説明した実施形態に限定されるものではない。
【符号の説明】
【００９７】
１０（２１０、３１０、４１０）  温熱器具
１１０（２１１０、３１１０、４１１０）  足載せ部
１１０Ｆａ  第１足載せ部
１１０Ｆｒ  第２足載せ部
１１２、１１４  サイドカバー
１１６  凹部
１１７  リブ（壁部）
１１８  空間部
１２０  凸状部
１２２  円柱体
１２２Ｆａ、１２２Ｆｒ  嵌合部
１２４  空間部
１２５  切欠き部
１２６  凸部
１３０  ヒータ
１４０  電源コード
１５０  点灯ランプ
【図１】
2020062259.tif 000003
【図２】
2020062259.tif 000004
【図３】
2020062259.tif 000005
【図４】
2020062259.tif 000006
【図５】
2020062259.tif 000007
【図６】
2020062259.tif 000008
【図７】
2020062259.tif 000009
【図８】
2020062259.tif 000010
【図９】
2020062259.tif 000011